(57)【要約】【課題】ガスメータなどの設備位置の確認を容易化し、復帰の迅速化に寄与する。【解決手段】サーバ（管理サーバ６）と、該サーバ（管理サーバ６）と通信する通信端末（８）とを備え、前記通信端末（８）がＧＰＳ情報を含む設備位置および識別情報を前記サーバ（管理サーバ６）に通知し、前記サーバ（管理サーバ６）が識別情報に関係付けて設備位置を前記サーバ（管理サーバ６）に登録し、通信接続された通信端末（８）に対し、該通信端末（８）に識別情報の入力を求め、該識別情報に対応する設備位置を通知する。【選択図】図１
2014207496.tif 000002
【特許請求の範囲】
【請求項１】
サーバと、該サーバと通信する通信端末とを備え、
前記通信端末がＧＰＳ情報を含む設備位置および識別情報を前記サーバに通知し、
前記サーバが識別情報に関係付けて設備位置を前記サーバに登録し、通信接続された通信端末に対し、該通信端末に識別情報の入力を求め、該識別情報に対応する設備位置を通知することを特徴とする設備管理システム。
【請求項２】
前記設備位置は、設備の所在地の住所または該所在地を表すＧＰＳ情報のいずれかまたは双方を含むことを特徴とする請求項１に記載の設備管理システム。
【請求項３】
前記設備位置は、少なくともガスメータ位置であることを特徴とする請求項１または請求項２に記載の設備管理システム。
【請求項４】
前記設備位置の通知を受けた前記通信端末は、該設備位置にマーキングを付した地図を表示することを特徴とする請求項１ないし請求項３のいずれかの請求項に記載の設備管理システム。
【請求項５】
前記サーバは、設備位置を通知する前記通信端末に対し、前記設備の復帰方法を開示することを特徴とする請求項１ないし請求項４のいずれかの請求項に記載の設備管理システム。
【請求項６】
前記識別情報は、設備を特定する情報、設備管理者を特定する情報の何れかまたは双方を含むことを特徴とする請求項１ないし請求項５のいずれかに記載の設備管理システム。
【請求項７】
コンピュータに実行させるための設備管理プログラムであって、
通信端末からＧＰＳ情報を含む設備位置および識別情報を受け、
前記識別情報に関係付けて前記設備位置を登録し、
サーバに接続された通信端末に対し、該通信端末に前記識別情報の入力を求め、該識別情報に対応する前記設備位置を通知する
処理をコンピュータに実行させるための設備管理プログラム。
【請求項８】
通信端末からＧＰＳ情報を含む設備位置および識別情報をサーバに通知し、
前記識別情報に関係付けて前記設備位置を前記サーバに登録し、
前記サーバに接続された通信端末に対し、該通信端末に前記識別情報の入力を求め、該識別情報に対応する前記設備位置を通知することを特徴とする設備管理方法。
【発明の詳細な説明】
【技術分野】
【０００１】
本発明は、スマートフォンなどの通信端末を用いたガスメータなどの設備管理技術に関する。
【背景技術】
【０００２】
ガスメータは、震度５相当以上の地震などを感知すると、安全装置が作動し、ガスの供給を遮断する。ガスメータは復帰ボタンを備えている。この復帰ボタンを押せば、ガスの漏洩の有無を検査し、漏洩がなければ供給状態に復帰させることができる。
【０００３】
このガスメータに関し、ガス漏れを監視し、ガス漏れを感知した際に遮断弁を閉じ、正常化した際に遮断弁を復帰させることが知られている（たとえば、特許文献１）。
【先行技術文献】
【特許文献】
【０００４】
【特許文献１】特開２０１１−１９６７２１号公報
【発明の概要】
【発明が解決しようとする課題】
【０００５】
ところで、ガスメータの遮断に関し、利便性を重視すれば、少しでも早くガスメータの復帰が望ましい。ユーザが復帰方法を知ることは復帰の迅速性に繋がる。しかし、復帰操作に手間取ることが予想される。
【０００６】
ガスメータの復帰方法はガス会社から提供され、ユーザによってガスメータを復帰させることは可能である。この復帰方法については、ユーザがガス会社に電話で問い合わせを行えばよい。そのため、広い範囲でガスメータの遮断が生じた場合には、ユーザからの電話が殺到することになる。優先すべきガス漏れ対応などの緊急電話が繋がりにくくなるという事態が予想される。
【０００７】
斯かる事態を回避するには、ユーザがガスメータの復帰方法を認識し、問い合わせ電話を減少させることが有益であろう。ガスメータの復帰方法は、ホームページなど、様々な方法で提供されている。
【０００８】
しかし、ガスメータの復帰方法を認識しても、遮断しているガスメータの場所が不明であれば、ガスメータの位置を確認しなければならない。ガスメータの発見に手間取れば、復帰を断念せざるを得ず、作業員の到着を待たなければならない。ガスの利用が可能である状況にあっても、ガスメータの復帰ができないためにガスを使用できないことが予想される。
【０００９】
斯かる課題はガスメータ以外の各種設備においても同様である。
【００１０】
そこで、本発明の目的は上記課題に鑑み、ガスメータなどの設備位置の確認を容易化し、復帰の迅速化に寄与することにある。
【課題を解決するための手段】
【００１１】
上記目的を達成するため、本発明の設備管理システムは、サーバと、該サーバと通信する通信端末とを備え、前記通信端末がＧＰＳ情報を含む設備位置および識別情報を前記サーバに通知し、前記サーバが識別情報に関係付けて設備位置を前記サーバに登録し、通信接続された通信端末に対し、該通信端末に識別情報の入力を求め、該識別情報に対応する設備位置を通知する。
【００１２】
上記設備管理システムにおいて、前記設備位置は、設備の所在地の住所または該所在地を表すＧＰＳ情報のいずれかまたは双方を含んでもよい。
【００１３】
上記設備管理システムにおいて、前記設備位置は、少なくともガスメータ位置であってもよい。
【００１４】
上記設備管理システムにおいて、前記設備位置の通知を受けた前記通信端末は、該設備位置にマーキングを付した地図を表示してもよい。
【００１５】
上記設備管理システムにおいて、前記サーバは、設備位置を通知する前記通信端末に対し、前記設備の復帰方法を開示してもよい。
【００１６】
上記設備管理システムにおいて、前記識別情報は、設備を特定する情報、設備管理者を特定する情報の何れかまたは双方を含んでもよい。
【００１７】
上記目的を達成するため、本発明の設備管理プログラムは、コンピュータに実行させるための設備管理プログラムであって、通信端末からＧＰＳ情報を含む設備位置および識別情報を受け、前記識別情報に関係付けて前記設備位置を登録し、サーバに接続された通信端末に対し、該通信端末に前記識別情報の入力を求め、該識別情報に対応する前記設備位置を通知する処理をコンピュータに実行させる。
【００１８】
上記目的を達成するため、本発明の設備管理方法は、通信端末からＧＰＳ情報を含む設備位置および識別情報をサーバに通知し、前記識別情報に関係付けて前記設備位置を前記サーバに登録し、前記サーバに接続された通信端末に対し、該通信端末に前記識別情報の入力を求め、該識別情報に対応する前記設備位置を通知する。
【発明の効果】
【００１９】
本発明によれば、次のような効果が得られる。
【００２０】
(1) 通信端末によりガスメータなどの設備の位置を容易に確認でき、復帰操作の迅速化を図ることができる。
【００２１】
(2) ガスメータなど設備の位置を通信端末を用いて容易に知ることができ、災害時の機能復帰の効率化を図ることができる。
【００２２】
(3) 復帰のための通話を削減でき、ガス漏れなどの事態に遭遇した際の緊急性のある通信機能を高め、セキュリティ機能の向上に寄与することができる。
【００２３】
そして、本発明の他の目的、特徴および利点は、添付図面および各実施の形態を参照することにより、一層明確になるであろう。
【図面の簡単な説明】
【００２４】
【図１】一実施の形態に係るガスメータ管理システムおよび画面表示を示す図である。
【図２】ガスメータ管理システム２の機能を示す図である。
【図３】サーバのハードウェアの一例を示す図である。
【図４】通信端末のハードウェアの一例を示す図である。
【図５】ガスメータ位置情報データテーブルを示す図である。
【図６】ガスメータ位置の表示例を示す図である。
【図７】ガスメータ復帰方法の表示例を示す図である。
【図８】ガスメータの選択画面を示す図である。
【図９】通信端末のメータ位置情報登録の処理手順を示すフローチャートである。
【図１０】サーバのメータ位置情報登録の処理手順を示すフローチャートである。
【図１１】通信端末のメータ位置情報表示の処理手順を示すフローチャートである。
【図１２】サーバのメータ位置情報表示の処理手順を示すフローチャートである。
【図１３】ガスメータ復帰方法表示の処理手順を示すフローチャートである。
【図１４】通信端末およびサーバ間のメータ位置情報登録の処理シーケンスを示す図である。
【図１５】通信端末およびサーバ間のメータ位置情報表示の処理シーケンスを示す図である。
【発明を実施するための形態】
【００２５】
＜システム構成＞
【００２６】
図１のＡは、一実施の形態に係るガスメータ管理システムを示している。図１に示す構成は一例であり、斯かる構成に本発明が限定されるものではない。
【００２７】
このガスメータ管理システム２は本発明の設備管理システムの一例である。このガスメータ管理システム２にはガスメータ４、管理サーバ（以下単に「サーバ」と称する）６および通信端末８が含まれる。
【００２８】
ガスメータ４は設備の一例である。このガスメータ４は顧客先に設置され、ガス使用量を計測する。このガスメータ４には震度５相当以上の震動を検知した際にガスの供給を遮断する機能や、安全が確保された際にはガスの供給を復帰させる復帰機能を備える。このガスメータ４は膜式メータまたは超音波式メータのいずれであってもよい。膜式メータではＬＥＤ（Light Emitting Diode）インジケータ部を備え、点滅パターンでガス遮断が提示される。これに対し、超音波式メータでは、液晶表示部に遮断事象や警報事象が表示される。
【００２９】
サーバ６は、ガスを供給するガス供給ステーションなどに設置されるコンピュータで構成される。このサーバ６はインターネット１０に接続されている。したがって、サーバ６にはインターネット１０を通して通信端末８が接続され、情報の送受が可能である。
【００３０】
通信端末８はスマートフォンなど、サーバ６との接続機能や情報の送受機能を備える。この通信端末８は、たとえば、ガス会社の作業員１２が使用する通信端末や、顧客１４が持つ通信端末のいずれでもよい。
【００３１】
このガスメータ管理システム２では、作業員１２により、通信端末８に顧客情報１６−１、メータ情報１６−２およびメータ位置情報１６−３を入力する。顧客情報１６−１、メータ情報１６−２およびメータ位置情報１６−３は、インターネット１０を通してサーバ６に通知され、登録される。顧客情報１６−１またはメータ情報１６−２は、ガスメータ４の識別情報の一例である。この識別情報にはガスメータ４などの設備を表す情報や、ガスメータ４などの設備を管理する設備管理者を特定する情報のいずれか一方または双方を含んでもよい。メータ位置情報１６−３はメータ位置を特定する顧客住所や、ＧＰＳ（Global Positioning System ）情報が含まれる。これらの情報１６−１、１６−２、１６−３および復帰方法１６−４はデータベース１８に登録され、管理される。
【００３２】
顧客１４の通信端末８をインターネット１０を介してサーバ６に接続する。通信端末８から顧客情報１６−１を入力すれば、サーバ６から通信端末８にメータ情報１６−２、メータ位置情報１６−３が開示され、これと併せてガスメータ４の復帰方法１６−４が提供される。この復帰方法１６−４は、顧客１４のガスメータ４の特定情報でもよいし、一般的な情報であってもよい。
【００３３】
メータ位置情報１６−３には地図情報が含まれる。図１のＢは、メータ位置情報１６−３の一例を示している。この例では、顧客１４先の住所つまり、メータ位置の設置エリアの地図２０が表示される。この地図２０にはガスメータ４の位置を特定するための位置マーク２２が表示される。
【００３４】
斯かるガスメータ管理システム２によれば、たとえば、ガスメータ４の遮断弁が閉弁した際、遮断弁の復帰が可能であれば、顧客１４が通信端末８を用いてサーバ６からメータ位置情報１６−３の提供を受けることができる。顧客１４は、メータ位置を認識することができない咄嗟の際に、メータ位置を正確に把握でき、しかも、復帰方法１６−４の提供を受けてその手順にしたがってガスメータ４を安全に復帰させることができる。
【００３５】
このようなガスメータ管理システム２を用いれば、顧客１４の電話による問い合わせを軽減できるし、復帰に手間取り復帰を断念する、作業員１２の到着を待つといった不都合を解消することもできる。電話の殺到によるガス漏れなどの緊急性の高い電話を妨げるといった不都合もない。
【００３６】
＜サーバ６および通信端末８の機能＞
【００３７】
図２は、サーバ６および通信端末８が備える機能を示している。サーバ６には、通信機能２４−１、情報処理機能２４−２、情報蓄積機能２４−３が含まれる。通信機能２４−１は、インターネット１０を媒介として通信端末８と通信接続を行い、情報の送受を行う。
【００３８】
情報処理機能２４−２は、通信端末８からの入力情報に基づき、顧客情報１６−１、メータ情報１６−２、メータ位置情報１６−３や復帰方法１６−４を検索し、通信端末８に対する出力処理などを行う。
【００３９】
情報蓄積機能２４−３はたとえば、顧客情報１６−１に関係付けてメータ情報１６−２、メータ位置情報１６−３の他、復帰方法１６−４を蓄積する。
【００４０】
また、通信端末８には、通信機能２６−１、ＧＰＳ機能２６−２、情報処理機能２６−３、情報蓄積機能２６−４、表示機能２６−５が含まれる。通信機能２６−１は、インターネット１０を媒介としてサーバ６と通信接続を行い、情報の送受を行う。
【００４１】
ＧＰＳ機能２６−２は、ＧＰＳ衛星との通信により、通信端末８の位置を表すＧＰＳ情報の取得を行う。
【００４２】
情報処理機能２６−３は、顧客住所の入力処理、ＧＰＳ機能２６−２により得たＧＰＳ情報を含むメータ位置情報１６−３、復帰方法１６−４の情報の処理を行う。この処理には、地図情報上にメータ位置を表す位置マークの表示などの処理を含む。
【００４３】
情報蓄積機能２６−４は、取得したＧＰＳ情報や復帰方法１６−４の蓄積を行う。
【００４４】
表示機能２６−５はたとえば、画面表示に地図表示を行い、特定されたメータ位置に位置マーク２２の表示などの画面表示を行う。
【００４５】
＜サーバ６のハードウェア＞
【００４６】
図３は、サーバ６のハードウェアの一例を示している。サーバ６は、ガス供給会社やガス供給管理ステーションなどに設置されるコンピュータシステムである。このサーバ６は上記機能を実現するための構成として、システム制御部２８、通信部３０、ＲＯＭ（Read-Only Memory）３２、データ記憶部３４、ＲＡＭ（Random-Access Memory）３６が含まれ、これらはバス３８によって連係されている。システム制御部２８はプロセッサなどで構成され、ＲＯＭ３２に格納されているＯＳ（Operating System）や本開示のメータ管理プログラムなどのアプリケーションソフトウェアを実行する。この処理には、インターネット通信による情報の送受、情報処理および情報蓄積機能の実行が含まれる。
【００４７】
通信部３０は、システム制御部２８の制御により、インターネット通信を実行する。このインターネット通信により、通信端末８と通信接続が行われる。
【００４８】
ＲＯＭ３２はハードディスクなどの記録媒体で構成され、既述のＯＳやメータ管理プログラムなどのアプリケーションソフトウェアを格納している。
【００４９】
データ記憶部３４は顧客情報１６−１、メータ情報１６−２、メータ位置情報１６−３、復帰方法１６−４などの各種の情報を格納する。このデータ記憶部３４には既述のデータベース１８が構築され、このデータベース１８には後述のガスメータ位置情報データテーブル５８−１（図５のＡ）、ガス供給情報付きガスメータ位置情報データテーブル５８−２（図５のＢ）が含まれる。ＲＡＭ３６は情報処理のワークエリアを構成する。
【００５０】
＜通信端末８のハードウェア＞
【００５１】
図４は、通信端末８のハードウェアの一例を示している。通信端末８はたとえば、スマートフォンである。この通信端末８には上記機能を実現するための構成として、システム制御部４０、通信部４２、ＧＰＳ通信部４４、メモリ４６、表示部４８、タッチパネル５０、ＲＡＭ５２が含まれる。
【００５２】
システム制御部４０は、メモリ４６にあるＯＳや既述のメータ管理プログラムなどのアプリケーションソフトウェアを実行する。
【００５３】
通信部４２は、インターネット１０を介してサーバ６との通信を行う。ＧＰＳ通信部４４はＧＰＳ衛星との通信により、通信端末８の位置情報を取得する。
【００５４】
メモリ４６は半導体メモリなどの記録媒体で構成され、ＯＳや既述のメータ管理プログラムなどのアプリケーションソフトウェアを格納している。このメモリ４６には、プログラム記憶部５４およびデータ記憶部５６が含まれる。プログラム記憶部５４には既述のＯＳやメータ管理プログラムが格納される。データ記憶部５６には既述の顧客情報１６−１、メータ情報１６−２、メータ位置情報１６−３などのデータベース１８（図１）にある後述のガスメータ位置情報データテーブル５８（図５のＡ）、ガス供給情報付きガスメータ位置情報データテーブル５８−２（図５のＢ）から提供される各種の情報が格納される。
【００５５】
表示部４８はＬＣＤ（Liquid Crystal Display）などの表示手段で構成される。タッチパネル５０は、表示部４８の表示画面に設置される情報入力手段であり、指やスタイラスペンなどのタッチにより情報入力が可能である。ＲＡＭ５２は、情報処理のワークエリアに用いられる。
【００５６】
＜ガスメータ位置情報データテーブル＞
【００５７】
図５はサーバ６に設置されるデータテーブルを示している。図５のＡは、ガスメータ位置情報データテーブル５８−１を示している。このガスメータ位置情報データテーブル５８−１にはメータＩＤ（IDentification）６０、住所６２、ＧＰＳ位置情報６４が格納される。メータＩＤ６０はメータ情報１６−２の一例である。住所６２はたとえば、メータ４を設置している顧客１４の住所であり、顧客情報１６−１またはメータ位置情報１６−３の一例である。ＧＰＳ位置情報６４はメータ位置情報１６−３に含まれる。
【００５８】
図５のＢは、ガス供給情報付きガスメータ位置情報データテーブル５８−２を示している。このガス供給情報付きガスメータ位置情報データテーブル５８−２にはメータＩＤ６０、住所６２、ＧＰＳ位置情報６４に加え、メータ種別６６、ガス供給情報６８が格納される。メータＩＤ６０、住所６２、ＧＰＳ位置情報６４は既述の通りである。メータ種別６６はメータ情報１６−２の一例である。ガス供給情報６８はガス供給に関する情報であり、ガス供給が正常か異常か、エリア遮断などを表す情報である。
【００５９】
サーバ６にはガスメータ位置情報データテーブル５８−１またはガス供給情報付きガスメータ位置情報データテーブル５８−２のいずれを設置してもよい。ガス供給情報付きガスメータ位置情報データテーブル５８−２を設置すれば、メータ種別６６やガス供給情報６８を格納するので、これらに対応した情報の提示を行うことができ、顧客１４に対する利便性が高められる。
【００６０】
＜ガスメータ位置などの表示＞
【００６１】
図６のＡは、ガスメータ位置の表示例１を示している。この表示例１では、通信端末８の表示画面７０に地図２０を表示し、この地図２０に位置マーク２２を表示する。この位置マーク２２をタッチなどによりクリックすると、位置マーク２２にあるガスメータ４に関する情報が表示される。この表示例１では住所６２、ガス供給情報６８および復帰方法１６−４が表示される。このガス供給情報６８では「正常」と表示され、ガスの供給状態が正常であることを示している。
【００６２】
ガスメータ４にガス遮断を生じている場合には、ガス供給情報６８が正常を示しているので、復帰方法１６−４に従ってガスメータ４の復帰が可能であることを示している。
【００６３】
この場合、ガス供給情報６８が異常を示している場合には、ガスメータ４の復帰をすることができない。この場合には、復帰方法１６−４を非表示とすればよい。このようにすれば、顧客１４が誤って復帰操作を行うことを防止でき、セキュリティの高いガスメータ管理システムとなる。
【００６４】
そして、ガスメータの復帰方法１６−４の表示をタッチなどによってクリックすれば、サーバ６から提供されている復帰方法の表示画面７４（図７）に移行する。この表示画面７４には復帰方法として復帰操作手順や注意事項が表示される。
【００６５】
図６のＢは、ガスメータ位置の表示例２を示している。この表示例２は、表示例１と同様に通信端末８の表示画面７０に地図２０を表示し、この地図２０に位置マーク２２を表示する。この位置マーク２２をタッチなどによりクリックすると、位置マーク２２にあるガスメータ４に関する情報が表示される。この表示例２では住所６２、地震情報７２、ガス供給情報６８および復帰方法１６−４が表示される。地震情報７２では、地震発生の日時、震度が表示されている。この場合、ガスメータ４の遮断原因となる震度５以上の地震として「震度５強」が表示されている。ガス供給情報６８では「正常」と表示され、ガスの供給状態が正常であることを示している。
【００６６】
この場合もガスメータ４にガス遮断を生じている場合には、ガス供給情報６８が正常を示しているので、復帰方法１６−４に従ってガスメータ４の復帰が可能であることを示している。
【００６７】
この場合、ガス供給情報６８が異常を示している場合には、ガスメータ４の復帰をすることができないので、復帰方法１６−４を非表示としてもよいことは、既述の通りである。
【００６８】
そして、この表示例２においても、ガスメータの復帰方法１６−４の表示をタッチなどによってクリックすれば、サーバ６から提供されている復帰方法の表示画面７４（図７）に移行し、表示画面７４により復帰方法として復帰操作手順や注意事項が表示される点は表示例１と同様である。
【００６９】
＜ガスメータ復帰方法の表示例＞
【００７０】
図７は、ガスメータ復帰方法の表示画面７４を示している。この表示画面７４には、操作手順７６−１、７６−２、７６−３が矢印７８とともに表示される。各操作手順７６−１、７６−２、７６−３には項番号８０、図形表示８２および説明表示８４が含まれる。項番号８０は、操作手順の段階情報である。各図形表示８２には、操作手順７６−１、７６−２、７６−３毎に操作対象となるガス器具８６、８８、ガスメータ４およびガスメータ４のランプ９０が表示されている。
【００７１】
操作手順７６−１では、ガス器具８６、８８の操作つまみを元に戻す示唆が表示されている。これに対応し、説明表示８４には全てのガス器具を止めることの説明９４とともに、屋外にあるガス器具に対する注意９６も喚起している。
【００７２】
操作手順７６−２の図形表示８２では、復帰ボタン９２の位置およびその操作を示し、メータガス栓９８の位置および開けたままにすることが表示されている。説明表示８４には復帰ボタン９２の操作方法の明示１００とともに、操作後の状況が説明されている。復帰ボタンの操作９２の際、ランプがつかない場合もあることの注意１０２や、マイコンメータなどのガスメータ４の設置場所の明示１０４が行われている。
【００７３】
操作手順７６−３では、操作手順７６−２で実行されたことに対し、待機時間１０５が表示され、そのランプ９０の位置が明示されている。説明表示８４には、復帰に際し、ガスを使わないで２分間の待機が必要であること、ランプ９０の点滅が消えた後にガスの使用ができることの説明１０６がなされている。そして、ランプ９０の点滅が消えない場合には、操作手順７６−１から再度の操作が必要である説明１０８が付記されている。
【００７４】
このような復帰方法によれば、ガスメータ４の位置を正確に把握していれば、顧客１４がガスメータ４を容易に遮断状態から復帰状態に移行させ、ガスを使用することができる。
【００７５】
＜ガスメータ選択画面＞
【００７６】
図８は、ガスメータ選択画面の一例を示している。このガスメータ選択画面１１０は通信端末８の表示部４８の画面表示である。このガスメータ選択画面１１０には識別情報表示１１２およびメータ一覧表１１４が表示されている。識別情報表示１１２には、「ユーザＩＤ」、「お客さま名」および「住所」が含まれる。「ユーザＩＤ」および「お客さま名」は、顧客情報１６−１の一例である。「住所」は顧客情報１６−１の一部であるとともにメータ位置情報１６−３でもある。この場合、ＧＰＳ情報を含んでもよい。
【００７７】
メータ一覧表１１４には項番号１１４−１、メータＩＤ１１４−２、場所情報１１４−３、メータ種別１１４−４が含まれる。項番号１１４−１は、一覧表中の情報を特定する識別情報である。メータＩＤ１１４−２にはガスメータ４の識別情報である。場所情報１１４−３はガスメータ４の所在地を表す情報である。メータ種別１１４−４はガスメータ４の形式、仕様などの情報である。
【００７８】
このようなガスメータ選択画面１１０を表示すれば、集合住宅など同一住所に複数のガスメータ４が設置される場合など、複数のガスメータ４から特定のガスメータ４を選択することが容易になる。また、特定されたガスメータ４について、所在地の確認やメータ種別の特定により、復帰操作などの処理の容易化、迅速化を図ることができる。
【００７９】
＜通信端末８のメータ位置情報登録＞
【００８０】
図９は、通信端末８のメータ位置情報登録の処理手順を示している。この処理手順は本発明の設備管理プログラムまたは設備管理方法の一例である。
【００８１】
この処理手順はたとえば、作業者の入力操作を伴う処理である。この処理手順では、アプリ起動を行い（Ｓ１０１）、既述のガスメータ選択画面１１０を表示させ、このガスメータ選択画面１１０からメータ位置情報の登録機能を選択する（Ｓ１０２）。これにより、アプリ起動中の通信端末８はメータＩＤ６０、住所６２の入力を受け付ける（Ｓ１０３）。通信端末８が通信端末８のＧＰＳ通信部４４によりＧＰＳ位置情報６４を取得し（Ｓ１０４）、メモリ４６に記憶する（Ｓ１０５）。この場合、ＧＰＳ通信部４４はＧＰＳ位置情報の取得ボタンを備えているので、この取得ボタンの押下によりＧＰＳ情報の取得を行えばよい。
【００８２】
通信端末８をサーバ６に接続し（Ｓ１０６）、ユーザＩＤおよびパスワードの認証を行う（Ｓ１０７）。このユーザＩＤおよびパスワードはサーバ６に登録されており、サーバ６との通信接続を行うには、通信端末８から入力されたユーザＩＤおよびパスワードが一致することが必要である。ユーザＩＤおよびパスワードの認証に成功すれば（Ｓ１０７のＯＫ）、メータＩＤ６０、住所６２およびＧＰＳ位置情報６４をサーバ６に送信し（Ｓ１０８）、通信終了処理を行う（Ｓ１０９）。
【００８３】
ユーザＩＤおよびパスワードの認証に失敗すると（Ｓ１０７のＮＧ）、エラー表示を行い（Ｓ１１０）、通信終了の処理を行う（Ｓ１１１）。これにより、この処理を終了する。これにより、ガスメータ管理システム２の誤動作を防止でき、セキュリティが高められる。
【００８４】
＜サーバ６のメータ位置情報登録の処理手順＞
【００８５】
図１０は、サーバ６のメータ位置情報登録の処理手順を示している。この処理手順は、本発明の設備管理プログラムまたは設備管理方法の一例である。
【００８６】
この処理手順は、通信端末８から提供されるメータＩＤ６０、住所６２およびＧＰＳ位置情報６４などの登録処理である。この処理手順では、サーバ６が通信端末８からの接続要求を受信し（Ｓ２０１）、ユーザＩＤおよびパスワードの認証を行う。
【００８７】
ユーザＩＤおよびパスワードの認証に成功すれば（Ｓ２０２のＯＫ）、通信端末８からメータＩＤ６０、住所６２およびＧＰＳ位置情報６４を受信する（Ｓ２０３）。これらメータＩＤ６０、住所６２およびＧＰＳ位置情報６４をデータ記憶部３４に記録し（Ｓ２０４）、通信終了の処理を実行する（Ｓ２０５）。
【００８８】
また、ユーザＩＤおよびパスワードの認証に失敗すれば（Ｓ２０２のＮＧ）、通信端末８にエラー送信を行い（Ｓ２０６）、通信終了の処理を実行する（Ｓ２０７）。これにより、復帰動作の信頼性が高められる。
【００８９】
＜通信端末８のメータ位置情報表示の処理手順＞
【００９０】
図１１は、通信端末のメータ位置情報表示の処理手順を示している。この処理手順は、本発明の設備管理プログラムまたは設備管理方法の一例である。
【００９１】
この処理手順では、アプリ起動を行い（Ｓ３０１）、ガスメータ管理システム２の入力画面からメータ位置情報の表示機能の選択を実行し（Ｓ３０２）、サーバ６に接続する（Ｓ３０３）。サーバ６に登録されているユーザＩＤおよびパスワードとの認証を行う。
【００９２】
ユーザＩＤおよびパスワードの認証に成功すれば（Ｓ３０４のＯＫ）、サーバ６からメータ検索結果を受信し（Ｓ３０５）、表示対象（つまり、復帰対象）のメータの選択を実行する（Ｓ３０６）。この場合、通信端末８には情報処理機能２６−３および表示機能２６−５により表示部４８に選択可能に表示対象の選択画面が表示される。この選択画面から復帰対象であるガスメータ４を選択し、そのガスメータ４を表示させればよい。
【００９３】
通信端末８は、サーバ６からメータＩＤ６０、住所６２、ＧＰＳ位置情報６４、メータ種別６６およびガス供給情報６８を受信する（Ｓ３０７）。これにより、表示画面７０にガスメータ４が存在する地図２０を表示し、この地図２０上にメータ位置を位置マーク２２によって表示する（Ｓ３０８）。
【００９４】
そこで、復帰方法表示ボタンである位置マーク２２の押下を行えば（Ｓ３０９のＹＥＳ）、メータ復帰方法１６−４が表示される（Ｓ３１０）。
【００９５】
Ｓ３０４において、ユーザＩＤおよびパスワードの認証に失敗すれば（Ｓ３０４のＮＧ）、エラー表示を行い（Ｓ３１１）、通信終了の処理を実行する（Ｓ３１２）。
【００９６】
また、復帰方法表示ボタンである位置マーク２２を押下しなければ（Ｓ３０９のＮＯ）、所定時間の後、通信終了の処理を実行する（Ｓ３１３）。
【００９７】
このような処理手順によれば、Ｓ３０９で地図２０および位置マーク２２の表示画面は復帰方法１６−４の表示選択画面を生成している。このような表示形態および選択画面を構成すれば、メータ位置や復帰方法を顧客１４に迅速に提示することができる。
【００９８】
＜サーバ６のメータ位置情報表示の処理手順＞
【００９９】
図１２は、サーバ６のメータ位置情報表示の処理手順を示している。この処理手順では、サーバ６が通信端末８からの接続要求を受信する（Ｓ４０１）。サーバ６は、ユーザＩＤおよびパスワードの認証を行う（Ｓ４０２）。
【０１００】
認証に成功すれば（Ｓ４０２のＯＫ）、ユーザＩＤに該当するメータＩＤ６０および住所６２の検索を行い（Ｓ４０３）、その検索結果を通信端末８に送信する（Ｓ４０４）。これに対し、サーバ６は通信端末８から表示対象のメータの選択結果を受信する（Ｓ４０５）。
【０１０１】
この場合、サーバ６は表示対象のメータを表すメータＩＤ６０、住所６２、ＧＰＳ位置情報６４、メータ種別６６、ガス供給情報６８を通信端末８に送信し（Ｓ４０６）、通信終了処理を実行する（Ｓ４０７）。
【０１０２】
また、ユーザＩＤおよびパスワードの認証に失敗すれば（Ｓ４０２のＮＧ）、通信端末８にエラー送信を行い（Ｓ４０８）、通信終了の処理を実行する（Ｓ４０９）。
【０１０３】
＜ガスメータ復帰方法表示の処理手順＞
【０１０４】
図１３は、ガスメータ復帰方法表示の処理手順を示している。この処理手順では、通信端末８にメータ種別６６に応じたガスメータの画像を表示し（Ｓ５０１）、現在のガスメータの状態情報の入力を要求する（Ｓ５０２）。
【０１０５】
この場合、入力情報としては、膜式メータであればＬＥＤ点滅パターンであり、超音波式メータであれば液晶表示部に表示されている遮断・警告事象の入力を行う（Ｓ５０３）。
【０１０６】
この入力情報に応じて、現在のメータ状態、メータ種別６６に応じたガイダンスとして遮断している場合は復帰方法を表示する。
【０１０７】
＜通信端末およびサーバ間のメータ位置情報登録の処理シーケンス＞
【０１０８】
図１４は、通信端末８およびサーバ６間のメータ位置情報登録の処理シーケンスを示している。
【０１０９】
この処理シーケンスにおいて、通信端末８からユーザＩＤおよびパスワード認証を実行する場合（Ｓ１０７）、通信端末８からユーザＩＤおよびパスワードがインターネット通信によりサーバ６に伝送される（Ｓ６０１）。
【０１１０】
また、通信端末８が取得したメータＩＤ６０、住所６２およびＧＰＳ位置情報６４のサーバ６に対する送信処理を実行すると（Ｓ１０８）、通信端末８からこれらの情報がインターネット通信によりサーバ６に伝送される（Ｓ６０２）。この場合、通信端末８からの提供情報によりガスメータ位置情報データテーブル５８−１がサーバ６に構築される。
【０１１１】
図１４において、図９および図１０と同一部分には同一符号を付し、その説明を割愛する。
【０１１２】
＜通信端末８およびサーバ６間のメータ位置情報表示の処理シーケンス＞
【０１１３】
図１５は、通信端末８およびサーバ６間のメータ位置情報表示の処理シーケンスを示している。
【０１１４】
この処理シーケンスにおいて、通信端末８からユーザＩＤおよびパスワード認証を実行する場合（Ｓ３０４）、通信端末８からユーザＩＤおよびパスワードがインターネット通信によりサーバ６に伝送される（Ｓ７０１）。
【０１１５】
サーバ６から検索結果を通信端末８に送信する場合（Ｓ４０４）、メータＩＤおよび住所がインターネット通信により通信端末８に伝送される（Ｓ７０２）。
【０１１６】
通信端末８で表示対象のメータを選択した場合（Ｓ３０８）、通信端末８からその選択結果としてメータＩＤおよび住所がインターネット通信によりサーバ６に伝送される（Ｓ７０３）。
【０１１７】
これにより、特定された表示メータの情報がサーバ６から送信される場合（Ｓ４０６）、サーバ６からその情報がインターネット通信により、通信端末８に伝送される（Ｓ７０４）。これにより、通信端末８にはガス供給情報付きガスメータ位置情報テーブル５８−２が形成され、表示される。
【０１１８】
このように、通信端末８およびサーバ６間でメータ位置とともに復帰対象であるガスメータ４が特定されるので、復帰の誤操作を防止でき、信頼性の高い処理を実現できる。
【０１１９】
＜一実施の形態の効果＞
【０１２０】
(1) ガスメータの新設・取替時または、検針時にＧＰＳ機能を持つ通信端末８（たとえば、携帯電話機、スマートフォンまたはタブレット端末など）を使用してガスメータの位置を登録すればよい。
【０１２１】
(2) 作業員１２は、通信端末８に顧客情報１６−１やメータ情報１６−２を入力し、ガスメータ４の設置位置で通信端末８のボタン操作を行えば、その地点のＧＰＳ位置情報６４を通信端末８に記録できる。これに基づき、通信端末８に記録されたガスメータ位置情報をセンターシステムであるサーバ６に登録することができる。極めて簡単で、迅速な管理が行えるし、作業員１２のヒューマンエラーを防止できる。
【０１２２】
(3) メータ位置情報１６−３の利用に関し、顧客１４は携帯電話機やスマートフォンなどの通信端末８を利用し、サーバ６にインターネット通信によりアクセスすればよい。サーバ６には会員情報システムとして予め、顧客情報や、ユーザＩＤ、パスワードなど必要な識別情報を登録しておけばよい。
【０１２３】
(4) ＩＤやパスワードの認証により、通信端末８にメニュー画面を表示すればよい。たとえば、メータ遮断時の復帰ガイダンスのメニューを選択し、ガスメータ位置の表示を選択すれば、顧客１４のガスメータ位置を地図２０上に位置マーク２２により表示することができる。
【０１２４】
(5) 顧客１４は遮断時の状態（たとえば、ＬＥＤ点滅パターンまたは液晶表示）を表示画面７０から選択すれば、メータの遮断事由を容易に判定することができる。その際、エリア情報として「お客さまのガスメータは地震を検出したためガスを遮断しております。」などの表示をすれば、顧客１４はその状況を即座に認識できるであろう。
【０１２５】
(6) この表示画面７０にはガスメータ４の復帰方法１６−４が表示されるので、その復帰方法を認識することも可能である。ガスメータには様々な種類があり、形状や復帰方法が若干異なっている。しかし、実際に設置されているメータ種類および復帰方法を特定して表示することができる。つまり、メータ位置および顧客１４に関係付けられたメータ情報１６−２を提供でき、特定情報に基づく復帰方法１６−４の提示が可能である。要するに、顧客１４はメータの位置を特定すれば、当該メータの復帰方法を容易に知ることができる。これに基づき、復帰方法をガイド表示に従って実行すればよい。
【０１２６】
(7) このガスメータ管理システム２では、顧客１４だけでなく、ガス会社の検針員や作業員がガスメータ位置を探し、復帰する場合にも利用でき、迅速な処理が可能である。
【０１２７】
(8) 斯かるガスメータ管理システム２を利用すれば、ガスメータの設置位置を認識していない顧客１４であっても、咄嗟の際に容易に位置を特定でき、遮断中のガスメータを復帰させることができる。従来、復帰できないためにガスの使用が困難で、作業員１２の到着を待つといった不都合を回避でき、復帰に要する時間短縮を図ることができる。
【０１２８】
(9) 復帰方法の電話による問い合わせ本数を削減でき、優先すべきガス漏れなどの緊急通報の遅れなどを回避でき、利便性の高いシステムを構築できる。
【０１２９】
〔他の実施の形態〕
【０１３０】
ａ) 上記実施の形態では、管理対象としてガスメータ４を提示したが、他のメータであってもよく、積算電力計や流量計などであってもよい。
【０１３１】
ｂ) 上記実施の形態でガスメータ４を例示したが、管理対象は、たとえば、工場などに設置された機械装置、計測器、空調機の室外機など、各種の設備であってもよい。この場合、管理対象である設備を示すマークをタッチしたり、そのマークをクリックした際に、設備の固有情報や、設備の操作や修理などのマニュアルのほか、その設備に関する管理情報を表示してもよい。斯かる構成によれば、設備の特定の管理者だけでなく、緊急時などに通信端末を用いることにより設備の機能復帰などの利便性を高めることができる。
【０１３２】
ｃ) 上記実施の形態では、通信端末８としてスマートフォンに言及しているが、タブレット端末や通信機能を備えるパーソナルコンピュータなどの通信機器であってもよい。
【０１３３】
ｄ) 上記実施の形態では、サーバ６のデータ記憶部３４に構築されるデータベースにデータテーブル５８−１、５８−２が含まれているが、これらのデータテーブル５８−１、５８−２は、通信端末８側にも同様にデータベースとしてデータテーブル５８−１、５８−２を設定してもよい。
【０１３４】
以上説明したように、本発明の最も好ましい実施の形態等について説明した。本発明は、上記記載に限定されるものではない。特許請求の範囲に記載され、又は発明を実施するための形態に開示された発明の要旨に基づき、当業者において様々な変形や変更が可能である。斯かる変形や変更が、本発明の範囲に含まれることは言うまでもない。
【産業上の利用可能性】
【０１３５】
本発明によれば、ガスメータ位置などの情報を通信端末に提示でき、ガスメータ位置とともに復帰方法の提示を行うことができ、問い合わせ電話の削減や、利便性の高い管理システムを構築できる。
【符号の説明】
【０１３６】
２  ガスメータ管理システム
４  ガスメータ
６  管理サーバ
８  通信端末
１０  インターネット
１２  作業員
１４  顧客
１６−１  顧客情報
１６−２  メータ情報
１６−３  メータ位置情報
１８  データベース
２０  地図
２２  位置マーク
【図１】
2014207496.tif 000003
【図２】
2014207496.tif 000004
【図３】
2014207496.tif 000005
【図４】
2014207496.tif 000006
【図５】
2014207496.tif 000007
【図６】
2014207496.tif 000008
【図７】
2014207496.tif 000009
【図８】
2014207496.tif 000010
【図９】
2014207496.tif 000011
【図１０】
2014207496.tif 000012
【図１１】
2014207496.tif 000013
【図１２】
2014207496.tif 000014
【図１３】
2014207496.tif 000015
【図１４】
2014207496.tif 000016
【図１５】
2014207496.tif 000017